(57)【要約】【課題】軽量芯材を使用したフリーアクセス床用の床パネルにおいて、増加した強度を有する側壁部が形成されると共に、使用する材料や製造方法が低コストなフリーアクセス床用の床パネルを提供すること。【解決手段】軽量芯材１の表面に金属製表面板２が、また裏面に金属製裏面板３が接着された床パネルＰにおいて、各側面では表面板および裏面板が重なり合うように折曲されてそれぞれ立ち上げ縁５，９が形成され、いずれか一方の立ち上げ縁の先端は床パネルの板厚付近で折り返されて立ち上げ縁に沿う折り返し縁６が形成され、一体的に接合されて側壁部４が形成されるパネルである。【選択図】図６
2011084925.tif 000002
【特許請求の範囲】
【請求項１】
軽量芯材の表面に金属製表面板が、また裏面に金属製裏面板が接着されたフリーアクセス床用の床パネルにおいて、該床パネルの各側面では該表面板および該裏面板が重なり合うように折曲されてそれぞれ立ち上げ縁が形成され、且つ該表面板および該裏面板の少なくともいずれか一方の該立ち上げ縁の先端は該床パネルの板厚付近で折り返されて該立ち上げ縁に沿う折り返し縁が形成され、該表面板の該立ち上げ縁と該裏面板の該立ち上げ縁とは一体的に接合されて側壁部が形成されることを特徴とするフリーアクセス床用の床パネル。
【請求項２】
該床パネルの各側面では該表面板が該床パネルの側面に沿って折曲されて表面板立ち上げ縁が形成されると共に該表面板立ち上げ縁の先端は該床パネルの板厚付近で外側に折り返されて該表面板立ち上げ縁に沿う折り返し縁が形成され、該折り返し縁の先端は該床パネルの表面位置で外方に折り曲げられて長突縁が形成され、また該床パネルの各側面では該表面板立ち上げ縁に外側から重なり合うように該裏面板が折曲されて裏面板立ち上げ縁が形成されると共に、該裏面板立ち上げ縁における先端は該床パネルの表面位置付近で外方に折り曲げられて短突縁が形成され、該裏面板の該短突縁に対し該表面板の該長突縁を巻き込むはぜ継ぎによって該表面板の該立ち上げ縁と該裏面板の該立ち上げ縁とが一体的に接合された側壁部が形成されることを特徴とする請求項１記載のフリーアクセス床用の床パネル。
【請求項３】
該軽量芯材は、ハニカムコア材、ロールコア材等で形成されることを特徴とする請求項１または２記載のフリーアクセス床用の床パネル。
【請求項４】
該床パネルの中央部には、該表面板と該裏面板とを絞って接合した箇所に穿設された円形状の配線取り出し孔が形成され、該配線取り出し孔に嵌合する円形状の蓋体により閉蓋されていることを特徴とする請求項１乃至３のいずれか１項記載のフリーアクセス床用の床パネル。
【発明の詳細な説明】
【技術分野】
【０００１】
本発明は、建造物におけるコンクリート床等の床版上に空間を保持して多数の床パネルを敷設し、この床パネルと床版との間に形成される空間を、情報通信や電力等のケーブルを配置したり、空調用のダクトに利用したりすることのできるフリーアクセス床に使用する床パネルに関する。
【背景技術】
【０００２】
この種の床パネルでは、従来から各種の材料を使用する例が提案され、実用にも供されている。例えば、金属の鋳造物製床パネル、鋼板製の表裏外皮中にセメントモルタルを充填した床パネル等が著名であり、また軽量化を目的として表裏外皮内に、ハニカムコアやロールコア等のような軽量芯材を介在させた床パネルも提案されている（例えば、特許文献１参照。）。このような軽量芯材を使用した床パネルは、床パネル表面に平均的に作用する応力に対しては、軽量にも拘わらず極めて大きい強度と剛性を保有するので有用な提案と言える。しかしながらフリーアクセス床用の床パネルにおいては、その四隅が建造物の床版から立設される支持脚によって支持されるので、床パネルの四隅部は言うまでもなく床パネル表面に加わる荷重を四隅部に伝達する床パネルの側壁部にも集中的に応力が作用する。したがって床パネルの側壁部は荷重伝達に耐える増加した強度が必要となり、特許文献１に記載されているように、単に表面板と裏面板を側壁部で立ち上げて接合する手段では、表面板や裏面板の板厚を可成り大きいものとしなければ側壁部に十分な強度を付与することができず、そのためにコストが上昇し、また他の補強材料を挿入して側壁部を形成する場合には、材料費以外にも加工上の費用の増大が見込まれる。
【先行技術文献】
【特許文献】
【０００３】
【特許文献１】実開平８−８７５号公報
【発明の概要】
【発明が解決しようとする課題】
【０００４】
本発明が解決しようとする課題は、軽量芯材を使用したフリーアクセス床用の床パネルにおいて、増加した強度を有する側壁部が形成されると共に、使用する材料や製造方法が低コストなフリーアクセス床用の床パネルを提供することにある。
【課題を解決するための手段】
【０００５】
前記課題を解決するために、本発明に係るフリーアクセス床用の床パネルは、軽量芯材の表面に金属製表面板が、また裏面に金属製裏面板が接着されたフリーアクセス床用の床パネルにおいて、該床パネルの各側面では該表面板および該裏面板が重なり合うように折曲されてそれぞれ立ち上げ縁が形成され、且つ該表面板および該裏面板の少なくともいずれか一方の該立ち上げ縁の先端が該床パネルの板厚付近で折り返されて該立ち上げ縁に沿う折り返し縁が形成され、該表面板の該立ち上げ縁と該裏面板の該立ち上げ縁とが一体的に接合されて側壁部が形成されることを主な特徴とする。
【発明の効果】
【０００６】
本発明は、次のような効果を奏する。
Ａ．床パネルの各側面において、単に表面板と裏面板とを接合した場合と異なって、表面板の立ち上げ縁、裏面板の立ち上げ縁および折り返し縁との一体的な重層構造の側壁部が形成されることとなり、比較的薄い表面板や裏面板を使用しても床パネル側壁部に増加した強度を付与することができる。
Ｂ．床パネルの増加した強度を有する側壁部を、表面板および裏面板の延長部分自体で形成することができるので、補強用の別の材料を使用する必要がない。
Ｃ．床パネルの増加した強度を有する側壁部の形成が、主として表面板および裏面板の折り曲げ加工で行われるから、床パネルを容易に且つ安価に製造することができる。
Ｄ．床パネル中央部に配線取り出し孔を形成することにより、床パネルの強度に影響されずに配線取り出し機能を付与することができる。
【図面の簡単な説明】
【０００７】
【図１】実施例１に係る床パネルの敷設状況を示す斜視図である。
【図２】実施例１に係る床パネルの一部欠截上面図である。
【図３】図２のＡ−Ａ線断面図である。
【図４】実施例１に係る床パネルの部品分解縦断面図である。
【図５】実施例１に係る床パネルの組み立て中の縦断面図である。
【図６】実施例１に係る床パネルの縦断面図である。
【図７】配線取り出し孔に嵌合する蓋体の斜視図である。
【図８】実施例２に係る床パネルの縦断面図である。
【発明を実施するための形態】
【０００８】
本発明を実施するための最良の形態について、以下実施例において、添付図面を参照しながら具体的に説明する。
【実施例１】
【０００９】
図１には、実施例１に係るフリーアクセス床の床パネルＰについてその敷設状況が示される。多数の床パネルＰは、各々その四隅をコンクリート床等の床版上に立設された支持脚Ｌによって保持され、床パネルＰの下方に情報通信や電力等のケーブルを配置したり、空調用のダクトに利用したりすることのできる空間を構成するように配列される。数カ所の床パネルＰの中央部にはケーブルを引き出す配線取り出し孔Ｈが形成され、この配線取り出し孔Ｈに嵌合する円形状の蓋体Ｃにより閉蓋されている。床パネルＰ上には床仕上げ材Ｆが配設される。フリーアクセス床のための支持脚Ｌの構造や支持脚Ｌと床パネルＰとの接合構造等は従来から多数の提案がなされており、本発明はこれらの構造について提案するものではない。
【００１０】
実施例１に係るフリーアクセス床の床パネルＰは、図２および図３に示されるように、軽量金属製や紙製等のハニカムコアやロールコアに代表される軽量芯材１に対して、その表面に金属製表面板２が、また裏面に金属製裏面板３が接着されて基本的に構成される。このような軽量芯材１を使用した床パネルＰは、床パネルＰ表面に平均的に作用する応力に対しては、軽量にも拘わらず比較的に大きい強度と剛性を有するが、床パネルＰは前述のようにその四隅を床版から立設される支持脚Ｌによって支持されるので、床パネルＰの四隅部は言うまでもなく床パネルＰ表面に加わる応力を四隅部に伝達する床パネル側壁部４にも集中的に応力が作用し、増加した強度を有する側壁部４が必要となる。
【００１１】
次に実施例１に係るフリーアクセス床の増加した強度を有する側壁部４を含む床パネルＰについて製造の過程を追って説明する。図４には床パネルＰを構成する部品が示されている。金属製の表面板２について、床パネルＰの各側面では、表面板２が床パネルＰの側面に沿って折曲されて表面板立ち上げ縁５が形成されると共に表面板立ち上げ縁５の先端は床パネルＰの板厚付近で外側に折り返されて表面板立ち上げ縁５に沿う折り返し縁６が形成され、折り返し縁６の先端は床パネルＰの表面位置で外方に折り曲げられて長突縁７が形成されるように予め折り曲げ加工されている。なお表面板立ち上げ縁５と折り返し縁６とはかしめ部８によって分離しないように止着される。また金属製の裏面板３について、床パネルＰの各側面では、表面板立ち上げ縁５に重なり合うように裏面板３が折曲されて裏面板立ち上げ縁９が形成されると共に、裏面板立ち上げ縁９における先端は床パネルＰの表面位置付近に位置するように外方に折り曲げられて短突縁１０が形成されるように予め折り曲げ加工されている。
【００１２】
前記した表面板２に対して、軽量金属製や紙製等のハニカムコアやロールコアに代表される軽量芯材１を表面板２の下側から嵌合して、軽量芯材１の上面を表面板２の下面に接着させる。実施例１では軽量芯材１にハニカムコアが図示されているが、軽量芯材１としては、ハニカムコアやロールコア以外に、石膏ボード、パーティクルボード、合成樹脂成形板等が採用される。次いで裏面板立ち上げ縁９が表面板立ち上げ縁５に外側から重なり合うように嵌合させると同時に裏面板３の上面を軽量芯材１の下面に接着させる。図５に示されるように、裏面板立ち上げ縁９と表面板立ち上げ縁５と折り返し縁６とが重ね合わされた状態では、表面板２における長突縁７と裏面板３における短突縁１０とが重なり合うので、裏面板３の短突縁１０に対し表面板２の長突縁７を巻き込んではぜ継ぎ接合部１１を形成し、これによって表面板立ち上げ縁５と裏面板立ち上げ縁９とが一体的に接合された側壁部４が構成され、図６に示される床パネルＰが完成される。床パネルＰはその各側面において、表面板の立ち上げ縁５、裏面板の立ち上げ縁９および折り返し縁６との一体的な重層構造の側壁部４が形成されることとなり、比較的薄い表面板２や裏面板３を使用しても床パネルＰの側壁部４に増加した強度を付与することができる。また床パネルＰの増加した強度を有する側壁部４を、表面板２および裏面板３の延長部分自体で形成することができるので、補強用の別の材料を使用する必要がなく、さらに床パネルＰの増加した強度を有する側壁部４の形成が、主として表面板２および裏面板３の折り曲げ加工で行われるから、床パネルＰを容易に且つ安価に製造することができる。
【００１３】
図１乃至図３に示されるように、数カ所の床パネルＰの中央部にはケーブルを引き出す配線取り出し孔Ｈが形成される。これらの床パネルＰでは、配線取り出し孔Ｈが床パネルＰの中央部において表面板２と裏面板３とを絞って接合した箇所に円孔を穿設することにより形成され、床パネルＰの強度に悪影響を与えずに配線取り出し機能を得ることができる。そして配線取り出し孔Ｈは、図７に示されるような、配線取り出し孔Ｈに嵌合する金属製で円形状の蓋体Ｃにより閉蓋されている。蓋体Ｃにはその外周にフランジ１２が設けられると共に直径方向に襞１３が設けられていて、閉蓋時に配線取り出し孔Ｈに対して弾圧力を付与し、蓋体Ｃが簡単に抜け出さないようにされている。
【実施例２】
【００１４】
図８には、実施例２に係るフリーアクセス床の床パネルＰが示されている。実施例１と実施例２とを比較してその相違点は、第１に、実施例１では、折り返し縁６が表面板立ち上げ縁５から外側に折り返されているのに対し、実施例２では、折り返し縁６が裏面板立ち上げ縁９から内側に折り返されている点、第２に、実施例１では、裏面板立ち上げ縁９が表面板立ち上げ縁５の外側から重なり合うように形成されているのに対し、実施例２では、表面板立ち上げ縁５が裏面板立ち上げ縁９の外側から重なり合うように形成されている点、第３に、表面板立ち上げ縁５と裏面板立ち上げ縁９との一体的な接合について、実施例１では、裏面板立ち上げ縁９における先端の短突縁１０に対し表面板立ち上げ縁５における長突縁７を巻き込むはぜ継ぎ接合部１１で行うのに対し、実施例２では、表面板立ち上げ縁５と裏面板立ち上げ縁９とを折り返し縁６を含めて貫通するリベット接合部１４で行う点で相違する。そしてこれらの相違点以外の構成は両者共通する。なお実施例２において、表面板立ち上げ縁５と裏面板立ち上げ縁９との一体的な接合は、表面板立ち上げ縁５と裏面板立ち上げ縁９との接着によって行う態様も存在する。
【符号の説明】
【００１５】
１  軽量芯材
２  表面板
３  裏面板
４  側壁部
５  表面板立ち上げ縁
６  折り返し縁
７  長突縁
９  裏面板立ち上げ縁
１０  短突縁
１１  はぜ継ぎ接合部
Ｐ  床パネル
Ｈ  配線取り出し孔
Ｃ  蓋体
【図１】
2011084925.tif 000003
【図２】
2011084925.tif 000004
【図３】
2011084925.tif 000005
【図４】
2011084925.tif 000006
【図５】
2011084925.tif 000007
【図６】
2011084925.tif 000008
【図７】
2011084925.tif 000009
【図８】
2011084925.tif 000010